(57)【特許請求の範囲】
【請求項１】
ホルダーの表面に形成したガイド溝内にスライダーが前後方向へ摺動可能に装着され、スライダーに連結された刃体がスライダーの摺動に伴ってホルダーの先端から出没し、刃体がホルダーの先端から突出した位置とホルダーの内部に没入した位置においてホルダーに対してスライダーを固定するための係合手段を有し、スライダーは該スライダーを操作するための操作部を含み、操作部の表面は前記ガイド溝の窓孔から露出している手術用メスであって、操作部の一端がヒンジを介してスライダー本体と一体に結合され、操作部は前記ヒンジを中心に窓孔内で上下に揺動可能であり、操作部の上面又は下面に係合突起が設けられており、刃体がホルダーから突出したとき及び刃体がホルダーに没入したときに前記係合突起がガイド溝の内面に設けられた凹部である係合部に係合してスライダーを固定し、前記係合突起が前記係合部に自然に嵌入するように操作部が係合部の方に弾性的に揺動するように付勢する手段を有し、その付勢する手段はスライダー本体に一体に設けられた弾性片であることを特徴とする手術用メス。
【請求項２】
操作部の一部はガイド溝内に挿入され、ガイド溝内に挿入された部分の幅は窓孔の幅よりも広い請求項１記載の手術用メス。
【請求項３】
ガイド溝の底面の中央長手方向にガイド孔が設けられ、スライダーにはガイド突起が設けられており、該ガイド突起が前記ガイド孔に挿入されてスライダーの摺動範囲を規制する請求項１又は請求項２のいずれかに記載の手術用メス。
【発明の詳細な説明】
【０００１】
【発明の属する技術分野】
本発明は、主に医療機関で使用される手術用メスに関する。
【０００２】
【従来の技術】
従来から刃体を出し入れ自在にホルダーに装着した手術用メスは存在している。例えば特許第２６０８６９５号公報に示された手術用メスは、ホルダーの表面に突出した操作部を回し、前後に摺動させることにより刃体を出し入れする構成である。また、特開平８−２４２６５公報に示された手術用メスは、ホルダーの上面に操作部を突出させ、その操作部を前後に摺動させることによって刃体を出し入れする構成である。
【０００３】
【発明が解決しようとする課題】
前述した特許第２６０８６９５号公報に示された手術用メスは、刃体を出し入れするときにまず操作部を回し、それからその操作部を前後に押さなければならないから、片手でホルダーを握ったままその握った手で刃体を出し入れすることができないので、取扱いが不便である。
【０００４】
また、前述した特開平８−２４２６５公報に示された手術用メスは、操作部がホルダーの上面から突出している。ホルダーは薄く形成されるものであるから、そのホルダーの上面から突出している操作部はさらに薄く形成されている。したがって、操作部を親指で押しながら操作するときに操作部の上端が親指に食い込むので、使用者が痛みを感じてしまうという欠点がある。そこで、本発明はホルダーを片手で握ったままでその握った手で刃体を出し入れすることができると共に、使用中に操作部の表面を広くすることによって操作時に指に痛みを感じない手術用メスを提供することを目的とする。
【０００５】
【課題を解決するための手段】
請求項１は、ホルダーの表面に形成したガイド溝内にスライダーが前後方向へ摺動可能に装着され、スライダーに連結された刃体がスライダーの摺動に伴ってホルダーの先端から出没し、刃体がホルダーの先端から突出した位置とホルダーの内部に没入した位置においてホルダーに対してスライダーを固定するための係合手段を有し、スライダーは該スライダーを操作するための操作部を含み、操作部の表面は前記ガイド溝の窓孔から露出している手術用メスであって、操作部の一端がヒンジを介してスライダー本体と一体に結合され、操作部は前記ヒンジを中心に窓孔内で上下に揺動可能であり、操作部の上面又は下面に係合突起が設けられており、刃体がホルダーから突出したとき及び刃体がホルダーに没入したときに前記係合突起がガイド溝の内面に設けられた凹部である係合部に係合してスライダーを固定し、前記係合突起が前記係合部に自然に嵌入するように操作部が係合部の方に弾性的に揺動するように付勢する手段を有し、その付勢する手段はスライダー本体に一体に設けられた弾性片であるという構成である。
【０００６】
請求項２は、操作部の一部はガイド溝内に挿入され、ガイド溝内に挿入された部分の幅は窓孔の幅よりも広い要素が請求項１に付加された構成である。
【０００７】
請求項３は、ガイド溝の底面の中央長手方向にガイド孔が設けられ、スライダーにはガイド突起が設けられており、該ガイド突起が前記ガイド孔に挿入されてスライダーの摺動範囲を規制するという要素が請求項１又は請求項２のいずれかに付加された構成である。
【０００８】
【発明の効果】
本発明は以上のような構成であって、請求項１は、ホルダーの表面に形成したガイド溝内にスライダーが前後方向へ摺動可能に装着され、スライダーに連結された刃体がスライダーの摺動に伴ってホルダーの先端から出没し、刃体がホルダーの先端から突出した位置とホルダーの内部に没入した位置においてホルダーに対してスライダーを固定するための係合手段を有し、スライダーは該スライダーを操作するための操作部を含み、操作部の表面は前記ガイド溝の窓孔から露出している手術用メスであって、操作部の一端がヒンジを介してスライダー本体と一体に結合され、操作部は前記ヒンジを中心に窓孔内で上下に揺動可能であり、操作部の上面又は下面に係合突起が設けられており、刃体がホルダーから突出したとき及び刃体がホルダーに没入したときに前記係合突起がガイド溝の内面に設けられた凹部である係合部に係合してスライダーを固定し、前記係合突起が前記係合部に自然に嵌入するように操作部が係合部の方に弾性的に揺動するように付勢する手段を有し、その付勢する手段はスライダー本体に一体に設けられた弾性片である。したがって、操作部が多少ホルダーの表面から突出している場合でも、使用時にホルダーを握るときは操作部をホルダー表面に対して垂直に押すことはあっても、操作部を上下に押すことはないので、この場合においても操作部を誤って移動させることを防止できる。また、ヒンジのみでは十分な弾性力が得られない場合もあり、弾性片を別に設けることにより操作部を係合部の方に弾性的に揺動する力が増すので、係合突起を凹状の係合部に確実に嵌入させることができる。
【０００９】
請求項２は、操作部の一部はガイド溝内に挿入され、ガイド溝内に挿入された部分の幅は窓孔の幅よりも広い構成である。したがって、窓孔内に収まっている操作部がヒンジ部分で曲がって窓孔から突き出ることを防止できる。
【００１０】
請求項３は、ガイド溝の底面の中央長手方向にガイド孔が設けられ、スライダーにはガイド突起が設けられており、該ガイド突起が前記ガイド孔に挿入されてスライダーの摺動範囲を規制する構成である。したがって、ホルダーの後端が開放されている場合に、スライダーがホルダーの後端から抜け出ることを防止できる。
【００１１】
【発明の実施の形態】
次に本発明の実施形態について説明する。図５又は図６に示すスライダー３はプラスチックの射出成型により一体に形成されている。スライダー３の長さはほぼ６．５ｃｍであるがこの数値に限定されないことは勿論である。スライダー３はスライダー本体５と操作部６とから成る。スライダー本体５の先端付近には刃結合突起８が設けられ、後半部は側方からほぼ矩形に切除した切除部９が設けられている。この切除部９の前部内面からガイド片１０が後方に向って延びており、ガイド片１０の先端にはガイド突起１１が突設されている。また、切除部９の後部内面から弾性片１２が前方に向って延びており、弾性片１２の先端には突起１３が突設されている。刃結合突起８には刃体４が結合されている。
【００１２】
操作部６はヒンジ１４を介しスライダー本体５に対して斜めに延びるように結合されており、操作部６はヒンジ１４を中心に揺動可能である。操作部６の長さはほぼ２ｃｍであるがこの数値に限定されないことは勿論である。図７に示したように窓孔７内の操作部６の幅は窓孔７の幅より狭く形成され、窓孔７の幅がほぼ５．７ｍｍに対して操作部の幅はほぼ４．５ｍｍであるがこの数値に限定されることはない。これにより操作部６は窓孔７内において揺動可能である。操作部６の基部１５全体の幅はほぼ８ｍｍであって窓孔７の幅よりも広く形成され、この基部１５はガイド溝２内に挿入される。したがって、操作部６が窓孔７から手前方向に抜け出すことがない。
【００１３】
一方の基部１５の側縁に基部１５と直角をなすように側壁１６が一体に形成されている。前述したヒンジ１４はこの側壁１６の端部を薄く形成したものである。側壁１６の外面には係合突起１７が設けられており、この係合突起１７がホルダーの係合凹部１８，１９に係合してスライダー３が固定される。
【００１４】
係合突起１７と係合凹部１８，１９の係合状態を解除してスライダー３をガイド溝２内で摺動させるときに、係合突起が突出している分だけ操作部６は上方に押される。操作部６が上方に押されると側壁１６が弾性片１２の突起１３に当たり、弾性片１２が撓むことの反力で操作部６は反対方向に押される。これにより、スライダー３を摺動して係合突起１７が係合凹部１８又は係合凹部１９の位置に到達したときに、係合突起１７は弾性片１２の強力な弾性力によって係合凹部１８又は係合凹部１９に確実に挿入する。
【００１５】
ホルダー１は、そのガイド溝２の底面の中央長手方向にガイド孔２０が設けられている。このガイド孔２０にはスライダー３のガイド突起１１が挿入され、スライダー３を円滑に摺動させる。スライダー３がガイド溝２内で固定されている状態、すなわち係合突起１７が係合凹部１８，１９のいずれかに係合しているときに、ガイド突起１１はガイド孔２０のいずれかの端部に位置している。したがって、スライダー３を勢い良く摺動させた場合であってもスライダーを停止し、係合突起１７を係合凹部１８，１９に確実に係合することができる。ホルダー１の長さはほぼ１１ｃｍである。しかし、この数値に限定されないことは勿論である。ホルダー１の後端は開放されているのでスライダー３の摺動に規制手段がないとスライダー３は後端から抜け出してしまうが、ガイド突起１１がガイド孔２０の後端に規制されてスライダー３が抜け出ることがない。
【図面の簡単な説明】
【図１】  本発明の手術用メスの刃体を出した状態の正面図
【図２】  図１の刃体を外してスライダーを没入させた状態の正面図
【図３】  図２の背面図
【図４】  図２の底面図
【図５】  図２の分解正面図
【図６】  図５に示すスライダーの裏面図
【図７】  図２のＡ−Ａ断面図
【符号の説明】
１  ホルダー
２  ガイド溝
３  スライダー
４  刃体
５  スライダー本体
６  操作部
７  窓孔
８  刃結合突起
９  切除部
１０  ガイド片
１１  ガイド突起
１２  弾性片
１３  突起
１４  ヒンジ
１５  操作部の基部
１６  側壁
１７  係合突起
１８  係合凹部
１９  係合凹部
２０  ガイド孔
【図１】
0004072380.tif 000002
【図２】
0004072380.tif 000003
【図３】
0004072380.tif 000004
【図４】
0004072380.tif 000005
【図５】
0004072380.tif 000006
【図６】
0004072380.tif 000007
【図７】
0004072380.tif 000008